(57)【特許請求の範囲】
【請求項１】
原稿から光学系を介して白黒画像を読み取るための第１の受光素子列と、
前記原稿から前記光学系を介してカラー画像を読み取るための第２の受光素子列と、
前記第１の受光素子列が受光して蓄積した電荷を受光素子毎に保持した後、出力端から順次出力する第１の保持部と、
前記第２の受光素子列が受光して蓄積した電荷を受光素子毎に保持した後、出力端から順次出力する第２の保持部と、
前記白黒画像を読み取る白黒モード又は前記カラー画像を読み取るカラーモードを選択する選択部と、
前記原稿に対して前記光学系を移動させて画像を読み取る第１の読取方式か、前記光学系に対して前記原稿を移動させて画像を読み取る第２の読取方式かを判定する判定部と、
前記選択部により前記カラーモードが選択され、かつ、前記判定部により前記第１の読取方式が判定されたとき、前記第１の保持部から電荷を読み出すための第１の読出信号の出力を停止し、前記第２の保持部から電荷を読み出すための第２の読出信号を出力して前記第２の保持部が保持している各電荷を前記出力端から順次出力させ、前記選択部により前記カラーモードが選択され、かつ、前記判定部により前記第２の読取方式が判定されたとき、前記第１の保持部に前記第１の読出信号を出力するとともに、前記第２の保持部に前記第２の読出信号を出力する駆動制御部とを備えた画像読取装置。
【請求項２】
前記駆動制御部は、前記選択部により前記白黒モードが選択されたとき、判定された前記読取方式に関わらず、前記第１の受光素子列に第１の周期で第１の取出信号を出力して前記第１の受光素子列の各受光素子が受光して蓄積した電荷を前記第１の保持部に出力させるとともに、前記第２の受光素子列に前記第１の周期よりも長い周期の第２の周期で第２の取出信号を出力して前記第２の受光素子列の各受光素子が受光して蓄積した電荷を前記第２の保持部に出力させる請求項１に記載の画像読取装置。
【請求項３】
原稿から画像を読み取る請求項１又は２に記載の画像読取装置と、
前記画像読取装置によって読み取られた画像に基づいて感光体を露光することにより前記感光体上に静電潜像を形成する露光部と、
前記感光体上に形成された静電潜像を現像してトナー像を形成する現像部と、
前記トナー像を用紙に転写する転写部と、
前記用紙に転写された前記トナー像を定着させる定着部とを備えた画像形成装置。
【発明の詳細な説明】
【技術分野】
【０００１】
本発明は、画像読取装置及び画像形成装置に関する。
【背景技術】
【０００２】
近年、複写機やスキャナ等に用いられる画像読取装置として、Ｒ（レッド）、Ｇ（グリーン）、Ｂ（ブルー）の各色成分に対応する３つのカラーラインセンサと、１つの白黒ラインセンサとの４ライン構成のＣＣＤ（Charge Coupled Device）センサを採用することにより、カラー画像を高品質で読み取り、白黒画像を高速で読み取る技術が提案されている（例えば、特許文献１参照）。
【０００３】
この特許文献１に記載された画像読取装置は、上記４ライン構成のＣＣＤセンサを採用するとともに、白黒ラインセンサの画素数をカラーラインセンサの画素数の２倍とし、白黒ラインセンサの垂直転送周期をカラーラインセンサの垂直転送周期の１／２とすることにより、白黒画像の読み取りを高解像度で高速に行うものである。
【０００４】
また、他の画像読取装置として、画素数が等しい白黒ラインセンサとカラーラインセンサを用い、白黒ラインセンサのシフトレジスタをカラーラインセンサの２倍備えたものも知られている。
【先行技術文献】
【特許文献】
【０００５】
【特許文献１】特開２００１−１４４９００号公報
【発明の概要】
【発明が解決しようとする課題】
【０００６】
［１］原稿から光学系を介して白黒画像を読み取るための第１の受光素子列と、前記原稿から前記光学系を介してカラー画像を読み取るための第２の受光素子列と、前記第１の受光素子列が受光して蓄積した電荷を受光素子毎に保持した後、出力端から順次出力する第１の保持部と、前記第２の受光素子列が受光して蓄積した電荷を受光素子毎に保持した後、出力端から順次出力する第２の保持部と、前記白黒画像を読み取る白黒モード又は前記カラー画像を読み取るカラーモードを選択する選択部と、前記原稿に対して前記光学系を移動させて画像を読み取る第１の読取方式か、前記光学系に対して前記原稿を移動させて画像を読み取る第２の読取方式かを判定する判定部と、前記選択部により前記カラーモードが選択され、かつ、前記判定部により前記第１の読取方式が判定されたとき、前記第１の保持部から電荷を読み出すための第１の読出信号の出力を停止し、前記第２の保持部から電荷を読み出すための第２の読出信号を出力して前記第２の保持部が保持している各電荷を前記出力端から順次出力させ、前記選択部により前記カラーモードが選択され、かつ、前記判定部により前記第２の読取方式が判定されたとき、前記第１の保持部に前記第１の読出信号を出力するとともに、前記第２の保持部に前記第２の読出信号を出力する駆動制御部とを備えた画像読取装置。
【課題を解決するための手段】
【０００７】
［１］原稿から光学系を介して白黒画像を読み取るための第１の受光素子列と、前記原稿から前記光学系を介してカラー画像を読み取るための第２の受光素子列と、前記第１の受光素子列が受光して蓄積した電荷を受光素子毎に保持した後、出力端から順次出力する第１の保持部と、前記第２の受光素子列が受光して蓄積した電荷を受光素子毎に保持した後、出力端から順次出力する第２の保持部と、前記白黒画像を読み取る白黒モード又は前記カラー画像を読み取るカラーモードを選択する選択部と、前記原稿に対して前記光学系を移動させて画像を読み取る第１の読取方式か、前記光学系に対して前記原稿を移動させて画像を読み取る第２の読取方式かを判定する判定部と、前記選択部により前記カラーモードが選択され、前記判定部により前記第１の読取方式が判定されたとき、前記第１の保持部から電荷を読み出すための第１の読出信号の出力を停止し、前記第２の保持部から電荷を読み出すための第２の読出信号を出力して前記第２の保持部が保持している各電荷を前記出力端から順次出力させる駆動制御部とを備えた画像読取装置。
【０００８】
［２］前記駆動制御部は、前記選択部により前記白黒モードが選択されたとき、判定された前記読取方式に関わらず、前記第１の受光素子列に第１の周期で第１の取出信号を出力して前記第１の受光素子列の各受光素子が受光して蓄積した電荷を前記第１の保持部に出力させるとともに、前記第２の受光素子列に前記第１の周期よりも長い周期の第２の周期で第２の取出信号を出力して前記第２の受光素子列の各受光素子が受光して蓄積した電荷を前記第２の保持部に出力させる前記［１］に記載の画像読取装置。
【０００９】
［３］原稿から画像を読み取る前記［１］又は［２］に記載の画像読取装置と、前記画像読取装置によって読み取られた画像に基づいて感光体を露光することにより前記感光体上に静電潜像を形成する露光部と、記感光体上に形成された静電潜像を現像してトナー像を形成する現像部と、前記トナー像を用紙に転写する転写部と、前記用紙に転写された前記トナー像を定着させる定着部とを備えた画像形成装置。
【発明の効果】
【００１０】
請求項１又は３に記載の発明によれば、白黒画像を読み取るための第１の受光素子列と、カラー画像を読み取るための第２の受光素子列を備えた構成において、画質を低下させることなくカラー画像を読み取ることができる。
【００１１】
請求項２に記載の発明によれば、白黒画像をカラー画像よりも高速で読み取ることができる。
【図面の簡単な説明】
【００１２】
【図１】図１は、本発明の第１の実施の形態に係る画像読取装置の構成例を示す図である。
【図２】図２は、表面用ラインセンサ部の構成例を示す正面図である。
【図３】図３は、画像読取装置の制御系の要部を示すブロック図である。
【図４】図４（ａ）は、原稿の一例を示す図、図４（ｂ）は、画像読取装置におけるタイミング信号及び駆動信号の出力タイミングを示すタイミングチャートである。
【図５】図５は、本発明の第２の実施の形態に係る画像形成装置の構成例を示す図である。
【発明を実施するための形態】
【００１３】
以下、本発明の実施の形態について図面を参照して説明する。なお、各図中、実質的に同一の機能を有する構成要素については、同一の符号を付してその重複した説明を省略する。
【００１４】
図１は、本発明の第１の実施の形態に係る画像読取装置の構成例を示す図である。
【００１５】
この画像読取装置１は、後述する原稿配置台３６に原稿２０を搬送する原稿搬送部２と、原稿２０の表面２０ａの画像を光学的に読み取る表面画像読取部３と、原稿搬送部２に設けられ、原稿２０の裏面２０ｂの画像を光学的に読み取る裏面画像読取部４と備える。原稿搬送部２は、ＡＤＦ（Aoto Document Feeder：自動原稿送り装置）とも呼ばれている。
【００１６】
原稿搬送部２及び裏面画像読取部４は、原稿配置台３６に対して開閉可能な原稿カバー２４に設けられている。
【００１７】
また、画像読取装置１は、読取方式として、原稿配置台３６上の原稿２０に対して、光学系のキャリッジ３７Ａ、３７Ｂを副走査方向Ａに移動させて原稿２０から画像を読み取る「第１の読取方式」と、表面画像読取部３の光学系のキャリッジ３７Ａ、３７Ｂに対して原稿２０を原稿搬送部２により副走査方向Ａに搬送させて原稿２０から画像を読み取る「第２の読取方式」とを有する。第１の読取方式は、プラテンスキャン方式とも呼ばれ、第２の読取方式は、ＣＶＴ（Constant Velocity Transport：原稿定速搬送）方式とも呼ばれている。
【００１８】
また、画像読取装置１は、読取モードとして、原稿２０から白黒画像を読み取る「白黒モード」、原稿２０からカラー画像を読み取る「カラーモード」、原稿２０の表面２０ａから画像を読み取る「片面モード」、及び原稿２０の表面２０ａと裏面２０ｂの両方から画像を読み取る「両面モード」を有する。通常は「白黒モード」及び「片面モード」が初期設定されていることが多い。
【００１９】
（原稿搬送部）
原稿搬送部２は、画像が記録された原稿２０が配置される給紙台２１と、搬送された原稿２０が排出される排紙台２２と、原稿２０を給紙台２１から排紙台２２へ搬送する搬送機構２３と、給紙台２１上の原稿２０を検出する紙センサ２５とを備える。
【００２０】
搬送機構２３は、給紙台２１に配置された複数の原稿２０の束から原稿２０を１枚ずつ分離する分離ロール２３０と、分離した原稿２０を搬送する搬送ロール２３１と、原稿２０を第１の読取領域３ａに搬送する読取ロール２３２と、原稿２０を裏面画像読取部４に案内する案内ロール２３３と、原稿２０を排紙台２２に排出する排出ロール２３４とを備える。
【００２１】
（表面画像読取部）
表面画像読取部３は、照明光を発生する左右一対の白色ＬＥＤランプ等による光源３０Ａ、３０Ｂと、光源３０Ａ、３０Ｂからの照明光を第１又は第２の読取領域３ａ、３ｂに導く導光体３１と、光源３０Ａ、３０Ｂからの照明光が第１又は第２の読取領域３ａ、３ｂにおける原稿２０の表面２０ａで反射した反射光を反射する第１乃至第３のミラー３２Ａ〜３２Ｃと、第１乃至第３のミラー３２Ａ〜３２Ｃに導かれた反射光を集光する縮小光学系のレンズ３３と、レンズ３３により集光された光を受光する受光部の一例である表面用ラインセンサ部３４とを備える。
【００２２】
表面用ラインセンサ部３４は、例えば４ライン構成のＣＣＤ(Charge Coupled Device)ラインセンサを用いることができるが、これに限られるものではなく、ＣＭＯＳ(Complementary Metal-Oxide Semiconductor)イメージセンサ等の他の固体撮像素子でもよい。
【００２３】
また、表面画像読取部３は、光源３０Ａ、３０Ｂ、導光体３１、第１乃至第３のミラー３２Ａ〜３２Ｃ、レンズ３３及び表面用ラインセンサ部３４を収容する筐体３５を有し、筐体３５の上部にはガラス等の光透過性部材からなる原稿配置台３６を設けている。
【００２４】
光源３０Ａ、３０Ｂ、導光体３１及び第１のミラー３２Ａは、副走査方向Ａに移動可能な第１のキャリッジ３７Ａに固定され、第２のミラー３２Ｂ及び第３のミラー３２Ｃは、第２のキャリッジ３７Ｂに固定されている。原稿配置台３６上の原稿面から表面用ラインセンサ部３４の受光面までの光路長が常に一定に保持されるように、第２のキャリッジ３７Ｂは、第１のキャリッジ３７Ａの１／２の移動量で副走査方向Ａに移動可能に構成されている。また、第１及び第２のキャリッジ３７Ａ、３７Ｂは、原稿配置台３６に配置された原稿２０の表面２０ａの画像を読み取る場合には、図１に示す位置をホームポジションとし、不図示のモータにより副走査方向Ａに移動するように構成されている。
【００２５】
原稿配置台３６の第１の読取領域３ａの両端部には、第１及び第２の白基準板３８Ａ、３８Ｂが設けられ、第２の読取領域３ｂの近傍には主走査方向Ｂに沿って第３の白基準板３８Ｃが設けられている。
【００２６】
第１乃至第３の白基準板３８Ａ〜３８Ｃは、例えば白色の樹脂板、白塗装された金属板等を用いることができる。
【００２７】
（裏面画像読取部）
裏面画像読取部４は、照明光を発生する光源４０と、光源４０からの照明光が原稿２０の裏面２０ｂで反射した反射光を集光する等倍光学系のロッドレンズアレイ４１と、ロッドレンズアレイ４１により集光された反射光を受光する受光部の一例である裏面用ラインセンサ４２と、裏面用ラインセンサ４２が実装された基板４３と、搬送路を介してロッドレンズアレイ４１に対向して配置された白基準板４４とを備える。
【００２８】
光源４０は、例えば蛍光ランプ、キセノンランプや、主走査方向に沿って配列された複数のＬＥＤ（Light Emitting Diode）等を用いることができる。
【００２９】
裏面用ラインセンサ４２は、例えばＣＣＤ(Charge Coupled Device)ラインセンサを用いることができるが、これに限られるものではなく、ＣＭＯＳ(Complementary Metal-Oxide Semiconductor)イメージセンサ等の他の固体撮像素子でもよい。
【００３０】
白基準板４４は、例えば白色の樹脂板、白塗装された金属板等を用いることができる。
【００３１】
（表面用ラインセンサ部）
図２は、表面用ラインセンサ部３４の構成例を示す正面図である。表面用ラインセンサ部３４は、基板３４０を有し、この基板３４０上に、原稿２０から白黒画像を読み取る白黒ラインセンサ３４１と、原稿２０からカラー画像を読み取る赤用ラインセンサ３４２Ｒ、緑用ラインセンサ３４２Ｇ及び青用ラインセンサ３４２Ｂとを備える。白黒ラインセンサ３４１は、第１の受光素子列の一例であり、赤用ラインセンサ３４２Ｒ、緑用ラインセンサ３４２Ｇ及び青用ラインセンサ３４２Ｂは、第２の受光素子列の一例である。
【００３２】
また、表面用ラインセンサ部３４は、基板３４０上に、白黒ラインセンサ３４１から出力された電荷を保持する第１及び第２のシフトレジスタ３４３ａ、３４３ｂと、赤用ラインセンサ３４２Ｒ、緑用ラインセンサ３４２Ｇ及び青用ラインセンサ３４２Ｂから出力された電荷をそれぞれ保持するシフトレジスタ３４４Ｒ、３４４Ｇ、３４４Ｂとを備える。第１及び第２のシフトレジスタ３４３ａ、３４３ｂは、第１の保持部の一例であり、シフトレジスタ３４４Ｒ、３４４Ｇ、３４４Ｂは、第２の保持部の一例である。
【００３３】
また、表面用ラインセンサ部３４は、各シフトレジスタ３４３ａ、３４３ｂ、３４４Ｒ、３４４Ｇ、３４４Ｂの出力端に、シフトレジスタ３４３ａ、３４３ｂ、３４４Ｒ、３４４Ｇ、３４４Ｂの出力信号を増幅する増幅器３４５ａ、３４５ｂ、３４６Ｒ、３４６Ｇ、３４６Ｂを設けている。
【００３４】
白黒ラインセンサ３４１、第１及び第２のシフトレジスタ３４３ａ、３４３ｂ、増幅器３４５ａ、３４５ｂにより白黒画像読取部３４ａを構成する。赤用ラインセンサ３４２Ｒ、緑用ラインセンサ３４２Ｇ、青用ラインセンサ３４２Ｂ、シフトレジスタ３４４Ｒ、３４４Ｇ、３４４Ｂ、及び増幅器３４６Ｒ、３４６Ｇ、３４６Ｂによりカラー画像読取部３４ｂを構成する。
【００３５】
白黒ラインセンサ３４１は、複数の受光素子としての光電変換素子３４７を主走査方向Ｂに沿って配置し、各光電変換素子３４７の受光側に緑色成分の光を透過させるフィルタを設けている。白黒ラインセンサ３４１は、光電変換素子３４７が受光した光の光量に応じて蓄積した電荷を垂直転送信号φＶに同期して第１及び第２のシフトレジスタ３４３ａ、３４３ｂに出力する。白黒ラインセンサ３４１の奇数番目（ＯＤＤ）の光電変換素子３４７は、電荷を第１のシフトレジスタ３４３ａに出力し、偶数番目（ＥＶＥＮ）の光電変換素子３４７は、電荷を第２のシフトレジスタ３４３ｂに出力するように構成されている。白黒ラインセンサ３４１に緑色成分の光を透過させるフィルタを用いるのは、白黒ラインセンサ３４１の出力飽和の回避等のためである。
【００３６】
なお、本実施の形態では、白黒ラインセンサ３４１の光電変換素子３４７の数は、カラー用のラインセンサ３４２Ｒ、３４２Ｇ、３４２Ｂと同数であるが、３４２Ｒ、３４２Ｇ、３４２Ｂよりも多く、例えば２倍としてもよい。
【００３７】
赤用ラインセンサ３４２Ｒは、複数の光電変換素子３４７を主走査方向Ｂに沿って配置し、各光電変換素子３４７の受光側に赤色成分の光を透過させるフィルタを設けている。赤用ラインセンサ３４２Ｒは、光電変換素子３４７が受光した光の赤色成分の光量に応じて蓄積した電荷を垂直転送信号φＶに同期してシフトレジスタ３４４Ｒに出力する。
【００３８】
緑用ラインセンサ３４２Ｇは、複数の光電変換素子３４７を主走査方向Ｂに沿って配置し、各光電変換素子３４７の受光側に緑色成分の光を透過させるフィルタを設けている。緑用ラインセンサ３４２Ｇは、光電変換素子３４７が受光した光の緑色成分の光量に応じて蓄積した電荷を垂直転送信号φＶに同期してシフトレジスタ３４４Ｇに出力する。
【００３９】
青用ラインセンサ３４２Ｂは、複数の光電変換素子３４７を主走査方向Ｂに沿って配置し、各光電変換素子３４７の受光側に青色成分の光を透過させるフィルタを設けたものである。青用ラインセンサ３４２Ｂは、光電変換素子３４７が受光した光の青色成分の光量に応じて蓄積した電荷を垂直転送信号φＶに同期してシフトレジスタ３４４Ｂに出力する。
【００４０】
シフトレジスタ３４３は、保持していた電荷を水平転送信号φＨに同期してシフトレジスタ３４３の出力端側に順次転送し、増幅器３４５から信号ＳＷＢとして外部に出力する。
【００４１】
シフトレジスタ３４４は、保持していた電荷を水平転送信号φＨに同期してシフトレジスタ３４４の出力端側に順次転送し、増幅器３４６から信号ＳＲ、ＳＧ、ＳＢとして外部に出力する。
【００４２】
シフトレジスタ３４３、３４４の出力端側の発熱量が比較的大きいことから、発熱量を分散するため、白黒ラインセンサ３４１の出力方向とカラー用のラインセンサ３４２Ｒ、３４２Ｇ、３４２Ｂの出力方向を逆方向にしている。
【００４３】
（制御系）
図３は、画像読取装置１の制御系の要部を示すブロック図である。この画像読取装置１は、画像読取装置１の各部を制御するＣＰＵ１０と、表面用ラインセンサ部３４を駆動する駆動制御部１１と、白黒画像読取部３４ａから出力された信号ＳＷＢを保持するサンプルリングホールド（ＳＨ）回路１２ａと、カラー画像読取部３４ｂから出力された信号ＳＲ、ＳＧ、ＳＢを保持するサンプリングホールド（ＳＨ）回路１２ｂと、ＳＨ回路１２ａ、１２ｂの出力信号を増幅する増幅回路１３ａ、１３ｂと、増幅回路１３ａ、１３ｂの出力信号をデジタル信号に変換するＡ／Ｄ変換回路１４ａ、１４ｂと、Ａ／Ｄ変換回路１４ａ、１４ｂの出力データをデジタル画像データとして記憶するメモリ１５ａ、１５ｂと、メモリ１５ａ、１５ｂに記憶したデジタル画像データに対しシェーディング補正を行うシェーディング補正回路１６ａ、１６ｂと、スジ補正回路１７と、画像処理部１８と、読取モードを選択可能な操作パネル１９とを備える。
【００４４】
ＣＰＵ１０は、ＨＤＤ（Hard Disk Drive）等の記憶されているプログラムに従って動作することにより、画像読取装置１の各部を制御するとともに、原稿２０に対して光学系のキャリッジ３７Ａ、３７Ｂを移動させる第１の読取方式か、光学系に対して原稿２０を移動させる第２の読取方式かを判定する判定部として機能する。
【００４５】
判定部は、原稿搬送部２に設けられた紙センサ２５が原稿２０を検出していない場合に、操作パネル１９のスタートボタンが押されたとき、原稿配置台３６上の原稿２０を読み取る第１の読取方式が選択されたと判定する。また、判定部は、紙センサ２５が原稿２０を検出している場合に、スタートボタンが押されたとき、原稿２０を自動搬送する第２の読取方式が選択されたと判定する。
【００４６】
駆動制御部１１は、各種のタイミング信号を生成するタイミングジェネレータ１１０と、表面用ラインセンサ部３４の白黒画像読取部３４ａを駆動する白黒用駆動部１１１と、表面用ラインセンサ部３４のカラー画像読取部３４ｂを駆動するカラー用駆動部１１２とを備える。
【００４７】
タイミングジェネレータ１１０は、垂直同期信号ＳＶ、水平同期信号ＳＨ等のタイミング信号を生成し、白黒用駆動部１１１及びカラー用駆動部１１２に出力する。また、タイミングジェネレータ１１０は、第１の読取方式、第２の読取方式、白黒モード及びカラーモードに関わらず、白黒用駆動部１１１に出力する垂直同期信号ＳＶをカラー用駆動部１１２に出力する垂直同期信号ＳＶよりも１／２の周期で出力する。また、本実施の形態のタイミングジェネレータ１１０は、垂直同期信号ＳＶ間に水平同期信号ＳＨを出力するが、第１の読取方式により原稿配置台３６上の原稿２０をカラーモードで読み取る特定のモードでは、ＣＰＵ１０の制御により白黒用駆動部１１１への水平同期信号ＳＨの出力を停止する。なお、タイミングジェネレータ１１０は、第１の読取方式及び／又は第２の読取方式のときのカラーモードでは、白黒用駆動部１１１に出力する垂直同期信号ＳＶをカラー用駆動部１１２に出力する垂直同期信号ＳＶと等しい周期で出力してもよい。
【００４８】
白黒用駆動部１１１は、タイミングジェネレータ１１０から出力される垂直同期信号ＳＶに同期して駆動信号として垂直転送信号（第１の取出信号）φＶを生成し、垂直転送信号φＶを白黒画像読取部３４ａに出力する。また、白黒用駆動部１１１は、タイミングジェネレータ１１０から出力される水平同期信号ＳＨに同期して駆動信号として水平転送信号（第１の読出信号）φＨを生成し、水平転送信号φＨを第１及び第２のシフトレジスタ３４３ａ、３４３ｂに出力する。
【００４９】
カラー用駆動部１１２は、タイミングジェネレータ１１０から出力される垂直同期信号ＳＶに同期して駆動信号としての垂直転送信号（第２の取出信号）φＶを生成し、垂直転送信号φＶをカラー画像読取部３４ｂに出力する。また、カラー用駆動部１１２は、タイミングジェネレータ１１０から出力される水平同期信号ＳＨに同期して駆動信号として水平転送信号φＨを生成し、水平転送信号（第２の読出信号）φＨをシフトレジスタ３４４Ｒ、３４４Ｇ、３４４Ｂに出力する。
【００５０】
ＳＨ回路１２ａ、１２ｂは、ラインセンサ３４１、３４２Ｒ、３４２Ｇ、３４２Ｂから出力された信号をサンプルホールドしてピークを検出し、ピークを示す信号を出力する。
【００５１】
増幅回路１３ａ、１３ｂは、ＳＨ回路１２ａ、１２ｂから出力されたピークを示す信号を、予め定められた増幅率で増幅する。
【００５２】
メモリ１５ａ、１５ｂは、ＣＰＵ１０からのイネーブル信号がハイレベルのとき、入力されるデジタル画像データを記憶し、イネーブル信号がローレベルのとき、入力されるデジタル画像データを記憶しないように構成されている。
【００５３】
シェーディング補正回路１６ａ、１６ｂは、ラインセンサ３４１、３４２の感度バラツキの補正や、読取光学系の光量分布特性に対応した補正を行う。
【００５４】
スジ補正回路１７は、第２の読取方式のとき、読み取ったカラー画像及び白黒画像の両方に同じ位置にスジが入った場合には、スジだと判定し、カラー画像を補正してスジを消去する補正を行う。
【００５５】
画像処理部１８は、デジタル画像データを拡大又は縮小する拡大縮小処理等の各種画像処理を行った後、デジタル画像データをＨＤＤ等に出力する。
【００５６】
（第１の実施の形態の動作）
次に、第１の実施の形態の動作を説明する。
【００５７】
（１）カラーモード、第１の読取方式
まず、カラーモードと第１の読取方式を選択した場合について図４を参照して説明する。
【００５８】
図４（ａ）は、原稿の一例を示す図、図４（ｂ）は、画像読取装置におけるタイミング信号及び駆動信号の出力タイミングを示すタイミングチャートである。
【００５９】
（比較例）
まず、比較例について説明する。この比較例では、タイミングジェネレータ１１０は、カラーモード及び白黒モードのいずれにおいても、垂直同期信号ＳＶ間に水平同期信号ＳＨをシフトレジスタ３４４Ｒ、３４４Ｇ、３４４Ｂに出力するように構成されている。
【００６０】
ユーザが原稿２０を原稿配置台３６上に配置し、操作パネル１９を操作して、カラーモードを選択し、操作パネル１９に設けられた図示しないスタートボタンを押すと、ＣＰＵ１０は、原稿搬送部２の紙センサ２５が原稿２０を検出していないことから、第１の読取方式が選択されたと判定し、原稿配置台３６上の原稿２０に対して読み取り制御を開始する。すなわち、ＣＰＵ１０は、図示しないモータを制御して第１及び第２のキャリッジ３７Ａ、３７Ｂを図１に示すホームポジション位置に移動させる。続いてＣＰＵ１０は、第１及び第２のキャリッジ３７Ａ、３７Ｂを副走査方向Ａに移動させる。
【００６１】
タイミングジェネレータ１１０は、ＣＰＵ１０の制御の下、垂直同期信号ＳＶ、水平同期信号ＳＨ等のタイミング信号を生成し、白黒用駆動部１１１及びカラー用駆動部１１２に出力する。また、タイミングジェネレータ１１０は、原稿配置台３６上の原稿２０をカラーモードにおいても、垂直同期信号ＳＶ間に水平同期信号ＳＨを出力する。
【００６２】
カラー用駆動部１１２は、タイミングジェネレータ１１０から出力される垂直同期信号ＳＶに同期して駆動信号として垂直転送信号φＶを生成し、垂直転送信号φＶをカラー画像読取部３４ｂに出力する。また、カラー用駆動部１１２は、タイミングジェネレータ１１０から出力される水平同期信号ＳＨに同期して駆動信号として水平転送信号φＨを生成し、水平転送信号φＨをシフトレジスタ３４４Ｒ、３４４Ｇ、３４４Ｂに出力する。
【００６３】
白黒用駆動部１１１は、タイミングジェネレータ１１０から出力される垂直同期信号ＳＶに同期して駆動信号として垂直転送信号φＶを生成し、垂直転送信号φＶを白黒画像読取部３４ａに出力する。また、白黒用駆動部１１１は、タイミングジェネレータ１１０から出力される水平同期信号ＳＨに同期して駆動信号として水平転送信号φＨを生成し、水平転送信号φＨを第１及び第２のシフトレジスタ３４３ａ、３４３ｂに出力する。
【００６４】
カラーラインセンサの赤用ラインセンサ３４２Ｒ、緑用ラインセンサ３４２Ｇ及び青用ラインセンサ３４２Ｂは、光電変換素子３４７が受光した光の赤色成分、緑色成分、青色成分の光量に応じて蓄積した電荷を垂直転送信号φＶに同期してシフトレジスタ３４４Ｒ、３４４Ｇ、３４４Ｂに出力する。
【００６５】
白黒ラインセンサ３４１は、光電変換素子３４７が受光した光の緑色成分の光量に応じて蓄積した電荷を垂直転送信号φＶに同期してシフトレジスタ３４３ａ、３４３ｂに出力する。
【００６６】
カラー用のシフトレジスタ３４４Ｒ、３４４Ｇ、３４４Ｂは、保持していた電荷を水平転送信号φＨに同期して順次出力端に出力し、増幅器３４６Ｒ、３４６Ｇ、３４６Ｂで増幅された後、出力信号ＳＲ、ＳＧ、ＳＢとして出力される。
【００６７】
白黒用のシフトレジスタ３４３ａ、３４３ｂは、保持していた電荷を水平転送信号φＨに同期して順次出力端に出力し、増幅器３４５ａ、３４５ｂで増幅された後、出力信号ＳＷＢとして出力される。
【００６８】
カラー画像読取部３４ｂから出力された信号ＳＲ、ＳＧ、ＳＢは、ＳＨ回路１２ｂで保持されてピークが検出され、ピークを示す信号が増幅回路１３ｂで増幅された後、Ａ／Ｄ変換回路１４ｂによってアナログ信号からデジタル信号に変換され、デジタル画像データとしてメモリ１５ｂに記憶される。メモリ１５ｂに記憶されたデジタル画像データは、シェーディング補正回路１６ｂによりシェーディング補正が行われてスジ補正回路１７を介して画像処理部１８に出力される。画像処理部１８は、スジ補正回路１７から出力されたデジタル画像データを拡大又は縮小する拡大縮小処理等の各種画像処理を行った後、デジタル画像データをＨＤＤ等に出力する。
【００６９】
比較例の場合、図４（ａ）に示す走査線Ｌ１では、黒領域２０ｃが連続しているため、白黒ラインセンサ３４１の出力信号ＳＷＢがカラー用のラインセンサ３４２の出力信号ＳＲ、ＳＧ、ＳＢに不要なノイズとして回り込むことはない。しかし、図４（ｂ）に示す走査線Ｌ２では、白領域２０ｄに対する出力信号ＳＷＢがカラー用のラインセンサ３４２の出力信号ＳＲ、ＳＧ、ＳＢにクロストーク（ノイズ）Ｓｎとして回り込みが発生する場合がある。
【００７０】
（本実施の形態）
本実施の形態では、第１の読取方式により原稿配置台３６上に配置された原稿２０をカラーモードで読み取る場合には、白黒ラインセンサ３４１用の水平転送信号φＨの出力を停止しているため、走査線Ｌ２の読取位置において、白黒ラインセンサ３４１が白領域２０ｄを読み取るタイミングでカラー用のラインセンサ３４２の出力信号ＳＲ、ＳＧ、ＳＢにノイズが混入することがなくなる。
【００７１】
（２）カラーモード、第２の読取方式
次に、カラーモードと第２の読取方式を選択した場合について説明する。
【００７２】
ユーザが原稿２０を給紙台２１に配置し、操作パネル１９を操作してカラーモードを選択し、操作パネル１９に設けられた図示しないスタートボタンを押すと、ＣＰＵ１０は、原稿搬送部２の紙センサ２５が原稿２０を検出していることから、第２の読取方式が選択されたと判定し、原稿搬送部２を用いた読み取り制御を開始する。
【００７３】
カラーモード及び第２の読取方式の場合、タイミングジェネレータ１１０からはＣＰＵ１０の制御により、カラー画像読取部３４ｂ及び白黒画像読取部３４ａに対して垂直同期信号ＳＶ、水平同期信号ＳＨを出力する。従って、カラー画像読取部３４ｂ及び白黒画像読取部３４ａは、カラー用駆動部１１２及び白黒用駆動部１１１の駆動によりそれぞれカラー画像及び白黒画像が読み取られ、カラー画像読取部３４ｂから信号ＳＲ、ＳＧ、ＳＢが出力され、白黒画像読取部３４ａから信号ＳＷＢが出力される。カラー画像読取部３４ｂにより読み取られたカラー画像及び白黒画像読取部３４ａにより読み取られた白黒画像の両方に同じ位置スジが入った場合には、スジ補正回路１７はそれをスジと判定し、スジを消す補正がなされ、スジの無いカラー画像が画像処理部１８から出力される。
【００７４】
（３）白黒モード、第２の読取方式
次に、白黒モードと第２の読取方式を選択した場合について説明する。
【００７５】
ユーザが原稿２０を給紙台２１に配置し、操作パネル１９を操作して白黒モードを選択し、操作パネル１９に設けられた図示しないスタートボタンを押すと、ＣＰＵ１０は、原稿搬送部２の紙センサ２５が原稿２０を検出していることから、第２の読取方式が選択されたと判定し、原稿搬送部２を用いた読み取り制御を開始する。
【００７６】
白黒モード及び第２の読取方式の場合、タイミングジェネレータ１１０からはＣＰＵ１０の制御により、白黒画像読取部３４ａに対してカラー画像読取部３４ｂよりも１／２の周期で垂直同期信号ＳＶを出力する。このため、白黒画像読取部３４ａは、カラー画像読取部３４ｂの１／２の速度で信号ＳＷＢを出力し、白黒画像の読み取りが高速で行われる。
【００７７】
［第２の実施の形態］
図５は、本発明の第２の実施の形態に係る画像形成装置の構成例を示す図である。この画像形成装置５は、上記第１の実施の形態に係る画像読取装置１と、本体部５Ａとを備える。
【００７８】
本体部５Ａは、画像読取装置１によって読み取られた原稿画像を記録媒体としての用紙７０に印刷する画像形成部６と、画像形成部６に用紙７０を供給するトレイ部７とを備える。
【００７９】
操作パネル１９には、タッチパネル１９１と、原稿の読取、画像の印刷を指示するスタートボタンや原稿の読取、画像の印刷の停止を指示するストップボタン等の操作ボタン１９２とが設けられている。
【００８０】
画像形成部６は、電子写真方式によって原稿画像を用紙に印刷するものであり、循環移動する無端状の中間転写ベルト６０と、中間転写ベルト６０にイエロー（Ｙ），マゼンダ（Ｍ），シアン（Ｃ），ブラック（Ｋ）の各色のトナー画像を転写する第１乃至第４の画像形成ユニット６１Ｙ、６１Ｍ、６１Ｃ、６１Ｋと、画像情報に基づいて変調されたレーザー光を第１乃至第４の画像形成ユニット６１Ｙ、６１Ｍ、６１Ｃ、６１Ｋの後述する感光体ドラム６１０を露光することにより感光体ドラム６１０上に静電潜像を形成する露光部としての光学走査装置６２とを備えている。
【００８１】
各画像形成ユニット６１Ｙ、６１Ｍ、６１Ｃ、６１Ｋは、感光体ドラム６１０と、感光体ドラム６１０の表面を一様に帯電する帯電器６１１と、感光体ドラム６１０の表面に光学走査装置６２によって形成された静電潜像を各色のトナーで現像してトナー画像を形成する現像部としての現像器６１２と、中間転写ベルト６０を感光体ドラム６１０に押し付ける一次転写ローラ６１３とを有している。
【００８２】
中間転写ベルト６０は、不図示のモータに連結された駆動ローラ６３によって駆動され、第１の従動ローラ６４Ａ、第２の従動ローラ６４Ｂ及び中間転写ベルト６０に張力を付与するテンションローラ６５によって形成された循環経路に沿って回転する。
【００８３】
また、画像形成部６は、中間転写ベルト６０を挟んで第２の従動ローラ６４Ｂと対向する位置に配置され、中間転写ベルト６０上に形成されたトナー画像をトレイ部７から供給された用紙に転写する転写部としての二次転写ローラ６６と、用紙に転写されたトナー画像を用紙上に転写する定着部としての定着ユニット６７と、定着ユニット６７を通過した用紙７０を排出台６９に排出する排出ローラ６８とを備えている。
【００８４】
定着ユニット６７は、ヒータを内蔵する定着ローラ６７１と、定着ローラ６７１に対して加圧される加圧ローラ６７２とを備える。
【００８５】
トレイ部７は、向き、大きさ、紙質等の異なる用紙７０をそれぞれ収容する第１乃至第３のトレイ７１〜７３を備える。トレイ部７は、第１乃至第３のトレイ７１〜７３のそれぞれに対応して、格納された用紙７０を取り出すためのピックアップローラ７４Ａ〜７４Ｃと、複数の用紙７０が取り出された場合にそれらを分離する分離ローラ７５Ａ〜７５Ｃと、用紙７０さらに下流側へ搬送するレジローラ７６Ａ〜７６Ｃとを備えている。レジローラ７６Ａ〜７６Ｃは、画像形成部６による画像形成のタイミングに同期して動作し、第１乃至第３のトレイ７１〜７３から取り出した用紙７０を搬送路７７に沿って二次転写ローラ６６と中間転写ベルト６０との間に導くように構成されている。
【００８６】
なお、本発明は上記各実施の形態に限定されず、本発明の要旨を変更しない範囲内で種々に変形実施が可能である。例えば、ＣＰＵ１０による判定部をプログラムによって実現したが、ＡＳＩＣ（Application Specific IC）等のハードウェアを用いて実現してもよい。
【符号の説明】
【００８７】
１…画像読取装置、２…原稿搬送部、３…表面画像読取部、３ａ…第１の読取領域、３ｂ…第２の読取領域、４…裏面画像読取部、５…画像形成装置、５Ａ…本体部、６…画像形成部、７…トレイ部、１０…ＣＰＵ、１１…駆動制御部、１２ａ、１２ｂ…サンプリングホールド（ＳＢ）回路、１３ａ、１３ｂ…増幅回路、１４ａ、１４ｂ…Ａ／Ｄ変換回路、１５ａ、１５ｂ…メモリ、１６ａ、１６ｂ…シェーディング補正回路、１７…スジ補正回路、１８…画像処理部、１９…操作パネル、２０…原稿、２０ａ…表面、２０ｂ…裏面、２０ｃ…黒領域、２０ｄ…白領域、２１…給紙台、２２…排紙台、２３…搬送機構、２４…原稿カバー、２５…紙センサ、３０Ａ、３０Ｂ…光源、３１…導光体、３２Ａ〜３２Ｃ…ミラー、３３…レンズ、３４…表面用ラインセンサ部、３４ａ…白黒画像読取部、３４ｂ…カラー画像読取部、３５…筐体、３６…原稿配置台、３７Ａ、３７Ｂ…キャリッジ、３８Ａ〜３８Ｃ…白基準板、４０…光源、４１…ロッドレンズアレイ、４２…裏面用ラインセンサ、４３…基板、４４…白基準板、６０…中間転写ベルト、６１Ｙ、６１Ｍ、６１Ｃ、６１Ｋ…画像形成ユニット、６２…光学走査装置、６３…駆動ローラ、６４Ａ、６４Ｂ…従動ローラ、６５…テンションローラ、６６…二次転写ローラ、６７…定着ユニット、６８…排出ローラ、６９…排出台、７０…用紙、７１〜７３…トレイ、７４Ａ〜７４Ｃ…ピックアップローラ、７５Ａ〜７５Ｃ…分離ローラ、７６Ａ〜７６Ｃ…レジローラ、７７…搬送路、１１０…タイミングジェネレータ、１１１…白黒用駆動部、１１２…カラー用駆動部、１９１…タッチパネル、１９２…操作ボタン、２３０…分離ロール、２３１…搬送ロール、２３２…読取ロール、２３３…案内ロール、２３４…排出ロール、３４０…基板、３４１…白黒ラインセンサ、３４２Ｒ…赤用ラインセンサ、３４２Ｇ…緑用ラインセンサ、３４２Ｂ…青用ラインセンサ、３４３ａ…第１のシフトレジスタ、３４３ｂ…第２の各シフトレジスタ、３４４Ｒ、３４４Ｇ、３４４Ｂ…シフトレジスタ、３４５ａ、３４５ｂ…増幅器、３４６Ｒ、３４６Ｇ、３４６Ｂ…増幅器、３４７…光電変換素子、６１０…感光体ドラム、６１１…帯電器、６１２…現像器、６１３…一次転写ローラ、６７１…定着ローラ、６７２…加圧ローラ、Ａ…副走査方向、Ｂ…主走査方向、Ｌ１、Ｌ２…走査線、ＳＶ…垂直同期信号、ＳＨ…水平同期信号、ＳＲ、ＳＧ、ＳＢ…信号、ＳＷＢ…信号、φＨ…水平転送信号、φＶ…垂直転送信号
【図１】
0005807326.tif 000002
【図２】
0005807326.tif 000003
【図３】
0005807326.tif 000004
【図４】
0005807326.tif 000005
【図５】
0005807326.tif 000006